(57)【要約】    【課題】  簡単な操作で大画面サイズの投写画像及び通常画面サイズの投写画像を切り替えて投写可能なプロジェクタであって、投写面からプロジェクタまでの距離を短くすることのできるプロジェクタを提供する。    【解決手段】  照明装置１００と、液晶装置４００Ｒ，４００Ｇ，４００Ｂと、投写光学系６００と、大画面モード及び通常画面モードのうちいずれの画面モードで使用するかの設定を行うモード設定装置７０２と、投写光学系６００のズーム比を設定する機能を有するズーム装置７０４とを備え、投写光学系６００からの光がスクリーンＳＣＲとは反対側に投写されるような配置状態で使用することが可能なプロジェクタであって、投写光学系６００からの光をスクリーンＳＣＲに向けて反射する反射鏡３０をさらに備えたことを特徴とするプロジェクタ。【選択図】  図３
2006201328.tif 000002
【特許請求の範囲】
【請求項１】
照明装置と、
前記照明装置からの光を画像データに応じて変調する電気光学変調装置と、
前記電気光学変調装置で変調された光を投写面に投写する投写光学系と、
少なくとも大画面モード及び通常画面モードを含む複数の画面モードのうちいずれの画面モードで使用するかの設定を行うモード設定装置と、
設定された画面モードに応じて、前記投写光学系のズーム比を設定する機能を有するズーム装置とを備え、
前記投写光学系からの光が前記投写面とは反対側に投写されるような配置状態で使用することが可能なプロジェクタであって、
前記投写光学系からの光を前記投写面に向けて反射する反射鏡をさらに備えたことを特徴とするプロジェクタ。
【請求項２】
請求項１に記載のプロジェクタにおいて、
設定された画面モードに応じて、前記投写光学系の光軸に対する前記反射鏡の傾き角度を設定する機能を有する反射鏡傾き角度調整装置をさらに備えたことを特徴とするプロジェクタ。
【請求項３】
請求項１又は２に記載のプロジェクタにおいて、
設定された画面モードに応じて、前記投写光学系の光軸に沿った前記反射鏡の配置位置を設定する機能を有する反射鏡配置位置調整装置をさらに備えたことを特徴とするプロジェクタ。
【請求項４】
請求項１〜３のいずれかに記載のプロジェクタにおいて、
設定された画面モードに応じて、前記投写面に投写される投写画像の台形歪みを補正する台径歪み補正装置をさらに備えたことを特徴とするプロジェクタ。
【請求項５】
請求項１〜４のいずれかに記載のプロジェクタにおいて、
前記モード設定装置は、使用者の操作に基づいて、画面モードの設定を行う機能を有することを特徴とするプロジェクタ。
【請求項６】
請求項１〜４のいずれかに記載のプロジェクタにおいて、
前記モード設定装置は、投写するコンテンツの内容に基づいて、画面モードの設定を行う機能を有することを特徴とするプロジェクタ。
【請求項７】
請求項１〜６のいずれかに記載のプロジェクタにおいて、
前記投写面における投写領域の位置を、前記複数の画面モード毎に設定可能であることを特徴とするプロジェクタ。
【請求項８】
請求項１に記載のプロジェクタにおいて、
各画面モードにおける前記投写光学系のズーム比に関する情報を保持するメモリをさらに備えたことを特徴とするプロジェクタ。
【請求項９】
請求項２に記載のプロジェクタにおいて、
各画面モードにおける前記投写光学系のズーム比に関する情報及び前記反射鏡の傾き角度に関する情報を保持するメモリをさらに備えたことを特徴とするプロジェクタ。
【請求項１０】
請求項３に記載のプロジェクタにおいて、
各画面モードにおける前記投写光学系のズーム比に関する情報、前記反射鏡の傾き角度に関する情報及び前記反射鏡の配置位置に関する情報を保持するメモリをさらに備えたことを特徴とするプロジェクタ。
【発明の詳細な説明】
【技術分野】
【０００１】
本発明は、プロジェクタに関する。
【背景技術】
【０００２】
近年、液晶方式やプラズマ方式による大画面ディスプレイが世の中で広く使用されるようになってきている。しかしながら、これらの大画面ディスプレイにおいては、画面サイズが例えば６０インチと固定されているため、大画面サイズで見るのが好ましいコンテンツ（例えば、映画など。）を視聴する場合には画面サイズが小さすぎて物足りないという問題があり、通常サイズで見るのが好ましいコンテンツ（例えば、ニュースなど。）を視聴する場合には画面サイズが大きすぎて疲れてしまうという問題がある。
【０００３】
これに対して、投写画像をスクリーンに投写して表示するプロジェクタにおいては、プロジェクタの設置位置を変えて投写面からプロジェクタまでの投写距離を変えることにより、画面サイズを変更することが可能であるため、映画を見る場合などには画面サイズを大画面サイズ（例えば、８０インチ。）にすることにより、また、ニュースを見る場合などには画面サイズを通常画面サイズ（例えば、４０インチ。）にすることにより、上記のような問題を解決することができる（例えば、特許文献１参照。）。
【０００４】
図８及び図９は、プロジェクタ１０ａにおける投写距離と画面サイズとの関係を示す図である。プロジェクタ１０ａにおいては、図８及び図９に示すように、画面サイズを変更する方法としては、上記のように、プロジェクタ１０ａの設置位置を変えて投写面としてのスクリーンＳＣＲからプロジェクタ１０ａまでの投写距離を変える第１の方法の他に、投写光学系６００ａのズーム比を変える第２の方法、及びこれら第１の方法及び第２の方法を組み合わせた第３の方法がある。
【０００５】
【特許文献１】特開２００２−１６２６９０号公報
【発明の開示】
【発明が解決しようとする課題】
【０００６】
しかしながら、第１の方法及び第３の方法の場合には、投写したいコンテンツの内容が変わるたびにプロジェクタの設置位置を変える必要があり、作業が煩雑であるという問題がある。
また、第２の方法、すなわち、プロジェクタの設置位置を変えることなく投写光学系のズーム比のみを変えて画面サイズを変更する方法の場合にはそのような問題はなくなるが、大画面サイズ（例えば、８０インチ。）を投写するには、投写面からプロジェクタまでの距離をある程度（例えば、２ｍ〜８ｍ。）大きくする必要があるため、投写面からプロジェクタをある程度離間して設置する必要があり、プロジェクタ、電源ケーブル、信号ケーブルなどが邪魔になるという問題があった。
【０００７】
そこで、本発明は、簡単な操作で大画面サイズの投写画像及び通常画面サイズの投写画像を切り替えて投写可能なプロジェクタであって、投写面からプロジェクタまでの距離を短くすることのできるプロジェクタを提供することを目的とする。
【課題を解決するための手段】
【０００８】
本発明のプロジェクタは、照明装置と、前記照明装置からの光を画像データに応じて変調する電気光学変調装置と、前記電気光学変調装置で変調された光を投写面に投写する投写光学系と、少なくとも大画面モード及び通常画面モードを含む複数の画面モードのうちいずれの画面モードで使用するかの設定を行うモード設定装置と、設定された画面モードに応じて、前記投写光学系のズーム比を設定する機能を有するズーム装置とを備え、前記投写光学系からの光が前記投写面とは反対側に投写されるような配置状態で使用することが可能なプロジェクタであって、前記投写光学系からの光を前記投写面に向けて反射する反射鏡をさらに備えたことを特徴とする。
【０００９】
このため、本発明のプロジェクタによれば、投写光学系のズーム比を設定する機能を有するズーム装置の働きにより、簡単な操作で大画面サイズの投写画像及び通常画面サイズの投写画像を切り替えて投写することが可能となる。
【００１０】
また、本発明のプロジェクタによれば、投写光学系からの光を投写面に向けて反射する反射鏡の働きにより、投写光学系からの光は反射鏡で一旦反射されて投写面に投写されることになるため、投写面からプロジェクタまでの距離を短くすることが可能になる。
【００１１】
本発明のプロジェクタにおいては、設定された画面モードに応じて、前記投写光学系の光軸に対する前記反射鏡の傾き角度を設定する機能を有する反射鏡傾き角度調整装置をさらに備えることが好ましい。
【００１２】
このように構成することにより、上記した反射鏡傾き角度調整装置の働きにより、画面モード毎に、投写面における適切な位置に投写画像を投写することが可能になる。
【００１３】
本発明のプロジェクタにおいては、設定された画面モードに応じて、前記投写光学系の光軸に沿った前記反射鏡の配置位置を設定する機能を有する反射鏡配置位置調整装置をさらに備えることが好ましい。
【００１４】
このように構成することにより、上記した反射鏡配置位置調整装置の働きにより、投写光学系によるズーム比設定機能を補完して、投写面において投写される投写画像の大きさの調整範囲を広げることが可能になる。
【００１５】
本発明のプロジェクタにおいては、設定された画面モードに応じて、前記投写面に投写される投写画像の台形歪みを補正する台形歪み補正装置をさらに備えることが好ましい。
【００１６】
このように構成することにより、上記した台形歪み補正装置の働きにより、設定された画面サイズに応じて台形歪みを適切に補正することが可能になる。
【００１７】
本発明のプロジェクタにおいては、前記モード設定装置は、使用者の操作に基づいて、画面モードの設定を行う機能を有することが好ましい。
【００１８】
このように構成することにより、使用者の操作に基づいて、画面モードの設定を自在に行うことができる。
【００１９】
本発明のプロジェクタにおいては、前記モード設定装置は、投写するコンテンツの内容に基づいて、画面モードの設定を行う機能を有することが好ましい。
【００２０】
この場合、コンテンツがどのようなコンテンツであるかを示す付加情報を画像情報に付加しておき、この付加情報によってコンテンツの内容を判断するようにしてもよいし、コンテンツに含まれる画像情報そのものからコンテンツの内容を判断するようにしてもよい。
【００２１】
本発明のプロジェクタにおいては、前記投写面における投写領域の位置を、前記複数の画面モード毎に設定可能であることが好ましい。
【００２２】
このように構成することにより、複数の画面モード毎に投写領域の位置を設定することが可能になるため、複数の画面モード毎に、所望の位置に投写画像を投写することが可能になる。
【００２３】
本発明のプロジェクタにおいては、各画面モードにおける前記投写光学系のズーム比に関する情報を保持するメモリをさらに備えることが好ましい。
【００２４】
このように構成することにより、モード設定装置によって画面モードの設定を変更した場合に、上記したメモリを参照することにより投写光学系のズーム比を迅速かつ適切に設定することが可能になる。その結果、画面モードを迅速に切り替えることが可能になり、プロジェクタの使い勝手が向上する。
【００２５】
本発明のプロジェクタにおいては、各画面モードにおける前記投写光学系のズーム比に関する情報及び前記反射鏡の傾き角度に関する情報を保持するメモリをさらに備えることが好ましい。
【００２６】
このように構成することにより、モード設定装置によって画面モードの設定を変更した場合に、上記したメモリを参照することにより投写光学系のズーム比及び反射鏡の傾き角度を迅速かつ適切に設定することが可能になる。その結果、画面モードを迅速に切り替えることが可能になり、プロジェクタの使い勝手が向上する。
【００２７】
本発明のプロジェクタにおいては、各画面モードにおける前記投写光学系のズーム比に関する情報、前記反射鏡の傾き角度に関する情報及び前記反射鏡の配置位置に関する情報を保持するメモリをさらに備えることが好ましい。
【００２８】
このように構成することにより、モード設定装置によって画面モードの設定を変更した場合に、上記したメモリを参照することにより投写光学系のズーム比、反射鏡の傾き角度及び反射鏡の配置位置を迅速かつ適切に設定することが可能になる。その結果、画面モードを迅速に切り替えることが可能になり、プロジェクタの使い勝手が向上する。
【発明を実施するための最良の形態】
【００２９】
以下、本発明のプロジェクタを、図に示す実施形態を用いて説明する。
【００３０】
[実施形態１]
まず、実施形態１に係るプロジェクタについて、図１〜図５を用いて説明する。
図１は、実施形態１に係るプロジェクタ１０の光学系ブロック図である。図２は、実施形態１に係るプロジェクタ１０の電気系ブロック図である。図３〜図５は、実施形態１に係るプロジェクタ１０の投写状態を示す図である。図３（ａ）は大画面モードにおける投写状態を側面から見た図であり、図３（ｂ）は通常画面モードにおける投写状態を側面から見た図である。図４（ａ）は大画面モードにおける投写状態を使用者側から見た図であり、図４（ｂ）は通常画面モードにおける投写状態を使用者側から見た図である。図５（ａ）は大画面モードにおける投写状態を上面から見た図であり、図５（ｂ）は通常画面モードにおける投写状態を上面から見た図である。
【００３１】
実施形態１に係るプロジェクタ１０は、図１に示すように、光学系として、照明装置１００と、照明装置１００からの照明光束を赤、緑及び青の３つの色光に分離して被照明領域に導びく色分離導光光学系２００と、色分離導光光学系２００からの３つの色光のそれぞれを画像情報に応じて変調する電気光学変調装置としての３つの液晶装置４００Ｒ，４００Ｇ，４００Ｂと、これら３つの液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えている。これら各種光学部品は、筐体２０内に収納されている。
【００３２】
照明装置１００は、被照明領域側に略平行な照明光束を射出する光源装置１１０、光源装置１１０から射出される照明光束を複数の部分光束に分割するための複数の第１小レンズを有する第１レンズアレイ１２０、第１レンズアレイ１２０により分割された複数の部分光束を９０°の角度で反射する反射ミラー１２５、第１レンズアレイ１２０の複数の第１小レンズに対応する複数の第２小レンズを有する第２レンズアレイ１３０、光源装置１１０から射出される偏光方向の揃っていない照明光束を１種類の直線偏光に揃える偏光変換素子１４０及び偏光変換素子１４０からの各部分光束を被照明領域で重畳させるための重畳レンズ１５０を有している。
【００３３】
光源装置１１０は、楕円面リフレクタ１１４と、楕円面リフレクタ１１４の第１焦点近傍に発光中心を有する発光管１１２と、楕円面リフレクタ１１４で反射される集束光を略平行な光に変換する平行化レンズ１１８とを有している。発光管１１２には、発光管１１２から被照明領域側に射出される光を楕円面リフレクタ１１４に向けて反射する補助ミラー１１６が設けられている。
【００３４】
色分離導光光学系２００は、２枚のダイクロイックミラー２１０，２２０と、３枚の反射ミラー２３０，２４０，２５０と、リレーレンズ２６０，２７０とを有している。
液晶装置４００Ｒ，４００Ｇ，４００Ｂの光入射面側には、それぞれフィールドレンズ２８０Ｒ，２８０Ｇ，２８０Ｂが設けられている。
【００３５】
実施形態１に係るプロジェクタ１０は、図２に示すように、上記のように構成された光学系に加えて、パソコンから入力されるアナログ画像情報のＡ／Ｄ変換を行うＡＤコンバータ７１０と、ビデオ機器から入力されるアナログ画像情報のデコードを行うビデオデコーダ７１２と、Ａ／Ｄコンバータ７１０でＡ／Ｄ変換された画像情報又はビデオデコーダ７１２でデコードされた画像情報について必要な処理を行う画像処理回路７１４と、画像処理回路７１４で処理された画像情報について必要な補正を行う画像補正回路７１６と、画像補正回路７１６で必要な補正が行われた画像情報を液晶装置４００Ｒ，４００Ｇ，４００Ｂを駆動するための駆動信号に変換する液晶駆動回路７１８と、発光管１１２の発光を制御するための電源７２４及びバラスト７２６とを備えている。
【００３６】
実施形態１に係るプロジェクタ１０は、大画面モード及び通常画面モードをのうちいずれの画面モードで使用するかの設定を行うモード設定装置７０２と、設定された画面モードに応じて、投写光学系６００のズーム比を設定する機能を有するズーム装置７０４と、投写光学系６００からの光を投写面に向けて反射する反射鏡３０と、画面モードの設定情報その他の各種情報の入力を受け付ける操作パネル７２２と、各画面モードにおける投写光学系６００のズーム比に関する情報を保持するメモリ７２０とをさらに備えている。
【００３７】
モード設定装置７０２は、使用者の操作によるモード情報Ｍ１に基づいて画面モードの設定を行うほか、画像処理回路７１４で認識したコンテンツの内容によるモード情報Ｍ２に基づいて、画面モードの設定を行う。
画像補正回路７１６は、モード設定装置７０２によって設定された画面モードに応じて、スクリーンＳＣＲに投写される投写画像の台形歪みを補正する台形歪み補正装置、γ補正装置、色補正装置など（いずれも図示せず。）の補正装置を有している。
【００３８】
プロジェクタ１０は、図３〜図５に示すように、投写光学系６００からの光がスクリーンＳＣＲとは反対側に投写されるような配置状態で使用する。
【００３９】
このため、実施形態１に係るプロジェクタ１０によれば、投写光学系６００のズーム比を設定する機能を有するズーム装置７０４の働きにより、簡単な操作で大画面サイズの投写画像（図３（ａ）、図４（ａ）及び図５（ａ）参照。）及び通常画面サイズの投写画像（図３（ｂ）、図４（ｂ）及び図５（ｂ）参照。）を切り替えて投写することが可能となる。
【００４０】
また、実施形態１に係るプロジェクタ１０によれば、投写光学系６００からの光を投写面に向けて反射する反射鏡３０の働きにより、投写光学系６００からの光は反射鏡３０で一旦反射されて投写面としてのスクリーンＳＣＲに投写されることになるため、スクリーンＳＣＲからプロジェクタ１０までの距離を短くすることが可能になる。
【００４１】
実施形態１に係るプロジェクタ１０は、投写光学系６００として短焦点レンズを採用している。また、反射鏡３０として投写光学系６００からの光を斜め上方に向けて反射するような構成の反射鏡を採用している。
【００４２】
このため、実施形態１に係るプロジェクタ１０によれば、大画面サイズと、通常画面サイズとの、複数の画面サイズの投写を可能としながら、プロジェクタ１０を、スクリーンＳＣＲからプロジェクタ１０の反射鏡３０までの距離を１ｍ以内にするような配置状態で設置することができる。
【００４３】
実施形態１に係るプロジェクタ１０は、上記した台形歪み補正装置の働きにより、設定された画面サイズに応じて台形歪みを適切に補正することが可能になる。
【００４４】
台形歪み補正装置は、プロジェクタ１０の標準設置位置における画面モード毎の台形歪み補正パラメータを初期設定値として記憶している。このため、プロジェクタ１０を標準設置位置に設置して使用する限りにおいては、台形歪みは自動的に補正されるため、使用者はマニュアル調整によって台形歪み補正を行う必要はない。
一方、使用者がプロジェクタ１０を標準設置位置とは異なる位置に設置して使用する場合には、台形歪みは自動的には補正されないため、使用者はマニュアル調整によって台形歪み補正を行う。この場合、マニュアル調整に係る補正パラメータを台形歪み補正装置に記憶させておくことにより、爾後、同じ設置位置でプロジェクタ１０を使用する場合には、台形歪みが自動的に補正されるようになる。
これらの補正パラメータは台形歪み補正装置に記憶させているが、これをメモリ７２０に記憶させることもできる。
【００４５】
実施形態1に係るプロジェクタ１０においては、モード設定装置７０２は、使用者の操作に基づいて、画面モードの設定を行う機能を有しているため、使用者の操作に基づいて画面モードの設定を自在に行うことができる。
【００４６】
また、実施形態１に係るプロジェクタ１０においては、モード設定装置７０２は、投写するコンテンツの内容に基づいて、画面モードの設定を行う機能を有しているため、コンテンツの内容に基づいて画面モードの設定を行うことができる。この場合、コンテンツがどのようなコンテンツであるかを示す付加情報を画像情報に付加しておき、この付加情報によってコンテンツの内容を判断することもできるし、コンテンツに含まれる画像情報そのものからコンテンツの内容を判断するようにすることもできる。
【００４７】
実施形態１に係るプロジェクタ１０においては、スクリーンＳＣＲにおける投写領域の位置を、複数の画面モード毎に設定可能である。このため、複数の画面モード毎に投写領域の位置を設定することが可能になるため、複数の画面モード毎に、所望の位置に投写画像を投写することが可能になる。
【００４８】
この場合、スクリーンＳＣＲにおける投写領域の位置設定は、使用者のマニュアル調整により、画面モード毎に行うことができる。この場合、マニュアル調整に係る補正パラメータを画面モード毎にメモリ７２０に記憶させておくことにより、爾後、プロジェクタ１０を使用する場合には、画面モード毎に所望の位置に投写画像を投写することが可能になる。
【００４９】
例えば、図３及び図４に示すように、通常画面モード（４０インチ）における投写画像の底辺の位置を、大画面モード（８０インチ）における投写画像の底辺の位置と同じ高さ位置にすることが可能となる。
【００５０】
実施形態１に係るプロジェクタ１０においては、上述したように、各画面モードにおける投写光学系６００のズーム比に関する情報を保持するメモリを備えているため、モード設定装置７０２によって画面モードの設定を変更した場合に、メモリ７２０を参照することによりズーム比を迅速かつ適切に設定することが可能になる。その結果、画面モードを迅速に切り替えることが可能になり、プロジェクタ１０の使い勝手が向上する。
【００５１】
[実施形態２]
次に、実施形態２に係るプロジェクタ１２について、図６及び図７を用いて説明する。
図６は、実施形態２に係るプロジェクタ１２の電気系ブロック図である。図７は、実施形態２に係るプロジェクタ１２の投写状態を示す図である。図７（ａ）は大画面モードにおける投写状態を横から見た図であり、図７（ｂ）は通常画面モードにおける投写状態を横から見た図である。
【００５２】
実施形態２に係るプロジェクタ１２は、基本的には実施形態１に係るプロジェクタ１０と同様の構成を有しているが、反射鏡の傾き角度及び反射鏡の配置位置を調整することが可能である点で実施形態１に係るプロジェクタ１０の場合と異なっている。すなわち、実施形態２に係るプロジェクタ１２においては、図６に示すように、設定された画面モードに応じて、投写光学系６００の光軸に対する反射鏡３０の傾き角度を設定する機能を有する反射鏡傾き角度調整装置７０６と、設定された画面モードに応じて、投写光学系６００の光軸に沿った反射鏡３０の配置位置を設定する機能を有する反射鏡配置位置調整装置７０８とをさらに備えている。
【００５３】
このように、実施形態２に係るプロジェクタ１２は、反射鏡の傾き角度及び反射鏡の配置位置を調整することができる点で実施形態１に係るプロジェクタ１０の場合とは異なるが、実施形態１に係るプロジェクタ１０の場合と同様に、投写光学系６００のズーム比を設定する機能を有するズーム装置７０４の働きにより、簡単な操作で大画面サイズの投写画像（図７（ａ）参照。）及び通常画面サイズの投写画像（図７（ｂ）参照。）を切り替えて投写することが可能となる。また、投写光学系６００からの光をスクリーンＳＣＲに向けて反射する反射鏡３０の働きにより、投写光学系６００からの光は反射鏡３０で一旦反射されてスクリーンＳＣＲに投写されることになるため、スクリーンＳＣＲからプロジェクタ１２までの距離を短くすることが可能になる。
【００５４】
また、実施形態２に係るプロジェクタ１２によれば、上記した反射鏡傾き角度調整装置７０６及び反射鏡配置位置調整装置７０８を備えているため、これら反射鏡傾き角度調整装置７０６の働き（投写領域の位置調整機能）及び反射鏡配置位置調整装置７０８の働き（投写領域の大きさ調整機能（投写光学系によるズーム比設定機能の補完機能））により、画面モード毎に、スクリーンＳＣＲにおける適切な位置に投写画像を投写することが可能になる。
【００５５】
なお、実施形態２に係るプロジェクタ１２においては、反射鏡３０として投写光学系６００からの光を斜め上方に向けて、実施形態１に係るプロジェクタ１０の場合よりも大きな角度で反射するような光学系を採用している。
【００５６】
このため、大画面サイズとして８０インチの画面サイズ、通常画面サイズとして４０インチの画面サイズの投写が可能としているが、プロジェクタ１２を、スクリーンＳＣＲからプロジェクタ１２の反射鏡３０までの距離を実施形態１に係るプロジェクタ１０の場合よりもさらに短い距離になるような配置状態で配置することができる。
【００５７】
なお、実施形態２に係るプロジェクタ１２においては、メモリ７３０は、各画面モードにおける投写光学系６００のズーム比に関する情報に加えて、反射鏡３０の傾き角度に関する情報及び反射鏡３０の配置位置に関する情報を保持している。このため、モード設定装置７０２によって画面モードの設定を変更した場合に、メモリ７３０を参照することにより投写光学系６００のズーム比、反射鏡３０の傾き角度及び反射鏡３０の配置位置を、迅速かつ適切に設定することが可能になる。その結果、画面モードを迅速に切り替えることが可能になり、プロジェクタ１２の使い勝手が向上する。
【００５８】
メモリ７３０は、プロジェクタ１２の標準設置位置・標準投写位置における画面モード毎の投写光学系６００のズーム比、反射鏡３０の傾き角度及び反射鏡３０の配置位置を初期設定値として記憶している。このため、プロジェクタ１２を標準設置位置に設置し、かつ、投写領域を標準投写位置にして使用する限りにおいては、使用者はこれら（投写光学系６００のズーム比、反射鏡３０の傾き角度及び反射鏡３０の配置位置）の調整を行うことなくプロジェクタを使用することができる。
一方、使用者がプロジェクタ１２を標準設置位置とは異なる位置に設置して使用する場合や、使用者がプロジェクタ１２を標準設置位置に設置して使用する場合であっても投写領域を標準投写位置とは異なる位置にして使用する場合には、使用者はマニュアル調整によりこれらの値の調整を行う。この場合、マニュアル調整に係るこれらの値をメモリ７３０に記憶させておくことにより、爾後、同じ条件でプロジェクタ１２を使用する場合には、これらの値をマニュアル調整する必要がなくなる。
【００５９】
以上、本発明のプロジェクタの各実施形態に基づいて説明したが、本発明は上記の各実施形態に限定されるものではなく、その要旨を逸脱しない範囲において種々の態様において実施することが可能であり、例えば次のような変形も可能である。 
【００６０】
（１）上記各実施形態のプロジェクタ１０，１２においては、部屋の低い位置に設置するのに好適なプロジェクタであって、反射鏡３０が投写光学系６００からの光を斜め上方に向けて反射するように構成されたプロジェクタであるが、本発明はこれに限定されるものではない。例えば、天吊り状態で使用するのに好適なプロジェクタであって、反射鏡が投写光学系からの光を斜め下方に向けて反射するように構成されたプロジェクタであってもよいし、スクリーンＳＣＲの側面側に設置して使用するのに好適なプロジェクタであって、反射鏡が投写光学系からの光を斜め側方に向けて反射するように構成されたプロジェクタであってもよい。
【００６１】
（２）実施形態２に係るプロジェクタ１２においては、反射鏡傾き角度調整装置７０６及び反射鏡配置位置調整装置７０８を用いて、複数の画面モード毎に投写領域の位置を設定するようにしているが、本発明はこれに限定されるものではない。例えば、これに加えてレンズシフト装置におけるレンズシフト量を調整することによって、複数の画面モード毎に投写領域の位置を設定するようにしてもよい。
【００６２】
（３）上記各実施形態のプロジェクタ１０，１２においては、投写画像を撮影するためのカメラを備えていてもよい。これにより、台形歪み補正をさらに迅速かつ正確に行うことが可能になる。また、投写位置の設定をさらに迅速かつ正確に行うことが可能になる。
【００６３】
（４）上記各実施形態のプロジェクタ１０，１２は、３つの液晶装置４００Ｒ，４００Ｇ，４００Ｂを用いているが、本発明はこれに限定されるものではない。１つの液晶装置、２つの液晶装置又は４つ以上の液晶装置を用いることもできる。
【００６４】
（５）上記各実施形態のプロジェクタ１０，１２は、電気光学変調装置として液晶装置４００Ｒ，４００Ｇ，４００Ｂを用いているが、本発明はこれに限定されるものではない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００６５】
（６）上記各実施形態のプロジェクタ１０，１２は、透過型の液晶装置を用いているが、本発明はこれに限定されるものではない。反射型の液晶装置を用いることもできる。
【図面の簡単な説明】
【００６６】
【図１】実施形態１に係るプロジェクタ１０の光学系ブロック図。
【図２】実施形態１に係るプロジェクタ１０の電気系ブロック図。
【図３】実施形態１に係るプロジェクタ１０の投写状態を示す図。
【図４】実施形態１に係るプロジェクタ１０の投写状態を示す図。
【図５】実施形態１に係るプロジェクタ１０の投写状態を示す図。
【図６】実施形態２に係るプロジェクタ１２の電気系ブロック図。
【図７】実施形態２に係るプロジェクタ１２の投写状態を示す図。
【図８】プロジェクタ１０ａにおける投写距離と画面サイズとの関係を示す図。
【図９】プロジェクタ１０ａにおける投写距離と画面サイズとの関係を示す図。
【符号の説明】
【００６７】
１０，１０ａ，１２…プロジェクタ、２０，２２…筐体、３０…反射鏡、３２…反射鏡支持部、５０…設置台、１００…照明装置、１１０…光源装置、１１２…発光管、１１４…楕円面リフレクタ、１１６…補助ミラー、１１８…平行化レンズ、１２０…第１レンズアレイ、１２５，２３０，２４０，２５０…反射ミラー、１３０…第２レンズアレイ、１４０…偏光変換素子、１５０…重畳レンズ、２００…色分離導光光学系、２１０，２２０…ダイクロイックミラー、２６０，２７０…リレーレンズ、２８０Ｒ，２８０Ｇ，２８０Ｂ…フィールドレンズ、４００Ｒ，４００Ｇ，４００Ｂ…液晶装置、５００…クロスダイクロイックプリズム、６００…投写光学系、７０２…モード設定装置、７０４…ズーム装置、７０６…反射鏡傾き角度調整装置、７０８…反射鏡配置位置調整装置、７１０…Ａ／Ｄコンバータ、７１２…ビデオデコーダ、７１４…画像処理回路、７１６…画像補正回路、７１８…液晶駆動回路、７２０，７３０…メモリ、７２２…操作パネル、７２４…電源、７２６…バラスト、ＳＣＲ…スクリーン、Ｍ１，Ｍ２…モード情報、Ｓ１…ズーム比制御信号、Ｓ２…傾き角度制御信号，Ｓ３…配置位置制御信号
【図１】
2006201328.tif 000003
【図２】
2006201328.tif 000004
【図４】
2006201328.tif 000005
【図６】
2006201328.tif 000006
【図３】
2006201328.tif 000007
【図５】
2006201328.tif 000008
【図７】
2006201328.tif 000009
【図８】
2006201328.tif 000010
【図９】
2006201328.tif 000011